(57)【要約】    【課題】偽輪郭を抑制しつつ各画素セル単位で表現出来る中間輝度レベルの階調数を増やすことができるプラズマディスプレイパネルの駆動方法を提供することを目的とする。    【解決手段】各フレーム表示期間内に、輝度重み付けの値が公比２の等比数列の形態で推移して行くようにサブフィールドの複数が連続して配列されている第１サブフィールド群と、輝度重み付けが最も大なるサブフィールドを含み且つ各サブフィールドに割り当てられている輝度重み付けの値が等差数列の形態で推移して行くようにサブフィールドの複数が連続して配列されている第２サブフィールド群と、を含み、輝度重み付けの最も大なるサブフィールドを、フレーム表示期間内の先頭及び最後尾以外の位置に配置する。    【選択図】  図４
2006011224.tif 000002
【特許請求の範囲】
【請求項１】
画素に対応した複数の放電セルを備えたプラズマディスプレイパネルを、各フレーム表示期間を構成するＮ個（Ｎは２以上の整数）のサブフィールド毎に駆動するプラズマディスプレイパネルの駆動方法であって、
前記サブフィールド各々は、入力映像信号に対応した画素データに応じて前記放電セル各々を点灯モード及び消灯モードの内のいずれか一方の状態に設定するアドレスステップと、前記点灯モードに設定されている前記放電セルのみを前記サブフィールド各々に割り当てられている輝度重み付けに対応した回数分だけ繰り返しサスティン放電させることにより発光状態を維持するサスティンステップと、を含み、
各フレーム表示期間内には、各サブフィールドに割り当てられている前記輝度重み付けの値が、
Ｇ（n）＝２(n-1)
Ｇ：輝度重み付けの値
ｎ：サブフィールドの配列順番
となる形態で推移して行くように前記サブフィールドの複数が連続して配列されている第１サブフィールド群と、
Ｎ個の前記サブフィールド各々の内で前記輝度重み付けが最も大なるサブフィールドを含み且つ各サブフィールドに割り当てられている前記輝度重み付けの値が、
Ｇ（n）＝ａ＋（ｎ−１)・d
Ｇ：輝度重み付けの値
ｎ：サブフィールドの配列順番
ａ：輝度重み付けの初期値
ｄ：所定値
となる形態で推移して行くようにサブフィールドの複数が連続して配列されている第２サブフィールド群と、を含み、
前記輝度重み付けの最も大なるサブフィールドが前記フレーム表示期間内の先頭及び最後尾以外の位置に配置されていることを特徴とするプラズマディスプレイパネルの駆動方法。
【請求項２】
前記アドレスステップでは、画素データに応じて選択的に前記放電セル内に書込アドレス放電を生起させることにより前記消灯モード状態にある前記放電セルを前記点灯モードに遷移させ、
前記第１サブフィールド群内では、各サブフィールドに割り当てられている前記輝度重み付けの値が先頭から後方に向けて増加して行くように前記サブフィールドの複数が連続して配列されており、
前記第２サブフィールド群内では、各サブフィールドに割り当てられている前記輝度重み付けの値が先頭から後方に向けて減少して行くように前記サブフィールドの複数が連続して配列されていることを特徴とする請求項１記載のプラズマディスプレイパネルの駆動方法。
【請求項３】
前記第２サブフィールド群内において、前記入力映像信号によって示される輝度レベルに対応した数だけ前記輝度重み付けの小なる順に連続したサブフィールド各々で前記放電セルが前記点灯モードに設定されることを特徴とする請求項２記載のプラズマディスプレイパネルの駆動方法。
【請求項４】
Ｎ個の前記サブフィールド各々の内で前記輝度重み付けが最も小なるサブフィールドを前記第２サブフィールド群の最後尾に配置したことを特徴とする請求項２記載のプラズマディスプレイパネルの駆動方法。
【請求項５】
１フレーム表示期間内の前半に前記第１サブフィールド群、後半に前記第２サブフィールド群が配置されていることを特徴とする請求項２記載のプラズマディスプレイパネルの駆動方法。
【請求項６】
前記アドレスステップでは、画素データに応じて選択的に前記放電セル内に消去アドレス放電を生起させることにより前記点灯モードの状態にある前記放電セルを前記消灯モードに遷移させ、
前記第１サブフィールド群内では、先頭から後方に向けて各サブフィールドに割り当てられている前記輝度重み付けの値が減少して行くように前記サブフィールドの複数が連続して配列されており、
前記第２サブフィールド群内では、先頭から後方に向けて各サブフィールドに割り当てられている前記輝度重み付けの値が増加して行くように前記サブフィールドの複数が連続して配列されていることを特徴とする請求項１記載のプラズマディスプレイパネルの駆動方法。
【請求項７】
前記第２サブフィールド群内において、前記入力映像信号によって示される輝度レベルに対応した数だけ前記輝度重み付けの小なる順に連続したサブフィールド各々で前記放電セルが前記点灯モードに設定されることを特徴とする請求項６記載のプラズマディスプレイパネルの駆動方法。
【請求項８】
Ｎ個の前記サブフィールド各々の内で前記輝度重み付けが最も小なるサブフィールドを前記第２サブフィールド群の先頭に配置したことを特徴とする請求項２記載のプラズマディスプレイパネルの駆動方法。
【請求項９】
１フレーム表示期間内の前半に前記第２サブフィールド群、後半に前記第１サブフィールド群が配置されていることを特徴とする請求項６記載のプラズマディスプレイパネルの駆動方法。
【請求項１０】
画素に対応した複数の放電セルを備えたプラズマディスプレイパネルを、各フレーム表示期間を構成するＮ個（Ｎは２以上の整数）のサブフィールド毎に駆動するプラズマディスプレイパネルの駆動方法であって、
前記サブフィールド各々は、入力映像信号に対応した画素データに応じて前記放電セル各々を点灯モード及び消灯モードの内のいずれか一方の状態に設定するアドレスステップと、前記点灯モードに設定されている前記放電セルのみを前記サブフィールド各々に割り当てられている輝度重み付けに対応した回数分だけ繰り返しサスティン放電させることにより発光状態を維持するサスティンステップと、を含み、
各フレーム表示期間内には、前記サブフィールド各々に割り当てられている前記輝度重み付けの値が公比２の等比数列の形態で推移して行くように前記サブフィールドの複数が連続して配列されている第１サブフィールド群と、前記輝度重み付けの値が先頭から後方に向けて増加して行くように複数の前記サブフィールドが配列されている第２サブフィールド群と、前記輝度重み付けの値が先頭から後方に向けて減少して行くように複数の前記サブフィールドが配列されている第３サブフィールド群と、を含み、
Ｎ個の前記サブフィールド各々の内で前記輝度重み付けが最も大なるサブフィールドが前記フレーム表示期間内の先頭及び最後尾以外の位置に配置されていることを特徴とするプラズマディスプレイパネルの駆動方法。
【請求項１１】
前記第２又は第３サブフィールド群の各々内において、前記入力映像信号によって示される輝度レベルに対応した数だけ前記輝度重み付けの小なる順に連続したサブフィールド各々で前記放電セルが前記点灯モードに設定されることを特徴とする請求項１０記載のプラズマディスプレイパネルの駆動方法。
【請求項１２】
前記アドレスステップでは、前記画素データに応じて選択的に前記放電セル内に書込アドレス放電を生起させることにより前記消灯モード状態にある前記放電セルを前記点灯モードに遷移させ、
前記第２サブフィールド群の最後尾には、Ｎ個の前記サブフィールド各々の内で前記輝度重み付けが２番目に小なるサブフィールドが配置されていることを特徴とする請求項１０記載のプラズマディスプレイパネルの駆動方法。
【請求項１３】
前記アドレスステップでは、前記画素データに応じて選択的に前記放電セル内に消去アドレス放電を生起させることにより前記点灯モード状態にある前記放電セルを前記消灯モードに遷移させ、
前記第３サブフィールド群の直前に、Ｎ個の前記サブフィールド各々の内で前記輝度重み付けが２番目に小なるサブフィールドが配置されていることを特徴とする請求項１０記載のプラズマディスプレイパネルの駆動方法。
【発明の詳細な説明】
【技術分野】
【０００１】
本発明は、プラズマディスプレイパネルの駆動方法に関する。
【背景技術】
【０００２】
薄型の表示デバイスとして、放電に伴う発光現象を利用して画像表示を行う交流放電型のプラズマディスプレイパネル（以下、ＰＤＰと称する）が知られている。ＰＤＰには、画素に対応した複数の放電セルがマトリクス状に配列されている。この際、各放電セルは、放電時の発光状態（最大輝度レベル）と、非放電時の消灯状態（最低輝度レベル）の２つの状態しかもたない。そこで、かかる放電セルを有するＰＤＰに対して、入力映像信号によって示される中間輝度レベルの画像表示を実現させるべく、サブフィールド法を用いた階調駆動を実施する。サブフィールド法に基づく階調駆動では、入力映像信号における１フィールド（又はフレーム）の表示期間をＮ個のサブフィールドに分割し、各サブフィールド毎に放電セルに対する発光駆動を実施する。各サブフィールドには、そのサブフィールドの重み付けに対応した発光期間が割り当てられている。
【０００３】
例えば、図１に示す如く１フィールドの表示期間を６個のサブフィールドＳＦ１〜ＳＦ６に分割して駆動を行う場合には、サブフィールドＳＦ１〜ＳＦ６各々に、
ＳＦ１：１
ＳＦ２：２
ＳＦ３：４
ＳＦ４：８
ＳＦ５：１６
ＳＦ６：３２
なる発光期間を割り当てて発光駆動を実施する。
【０００４】
この際、例えば輝度レベル「３２」の表示を行う場合には、サブフィールドＳＦ１〜ＳＦ６の内のＳＦ６のみで放電セルを発光させる。これにより、１フィールドの表示期間内にて「３２」の期間に亘り発光が為されるので、その発光期間に対応した「３２」の輝度レベルが視覚される。又、輝度レベル「３１」の表示を行う場合には、サブフィールドＳＦ６を除く他のサブフィールドＳＦ１〜ＳＦ５において放電セルを発光させる。これにより、１フィールドの表示期間内にて「３１」の期間（＝１＋２＋４＋８＋１６）に亘り発光が為されるので、その発光期間に対応した「３１」の輝度レベルが視覚される。
【０００５】
ところが、上述した如き輝度レベル「３２」の表示を行う場合と、輝度レベル「３１」で表示を行う場合とでは、放電セルが発光している期間と消灯している期間とが互いに反転している為、偽輪郭が視覚されてしまう可能性がある。つまり、輝度レベル「３２」の表示が為される放電セルの発光期間中は、輝度レベル「３１」の表示が為される放電セルは消灯状態にある。一方、輝度レベル「３１」の表示が為される放電セルの発光期間中は、輝度レベル「３２」の表示が為される放電セルは消灯状態にある。よって、１画面内において輝度レベル「３２」の表示が為される領域と、輝度レベル「３１」の表示が為される領域とが隣接している場合に、図１に示す如きＳＦ６からＳＦ５へ切換わるタイミングにて両領域間で視線を移動させると、消灯状態（又は発光状態）のみを連続して眺めることになる。この際、輝度レベル「３２」の表示が為される領域と、輝度レベル「３１」の表示が為される領域との境界において、黒（又は白）色のラインが偽輪郭として視覚されるのである。
【０００６】
そこで、このような偽輪郭を防止する階調駆動方法が提案された（例えば、特許文献１の図３参照）。
【０００７】
かかる階調駆動方法では、１フィールドの表示期間を１４個のサブフィールドＳＦ１〜ＳＦ１４に分割し、入力映像信号に応じて図２に示す如き第１階調駆動〜第１５階調駆動の内のいずれか１を実行する。尚、図２においては、白丸印の付されたサブフィールドでは放電セルの発光を実施させ、黒丸印の付されたサブフィールド以降のサブフィールドでは放電セルを消灯状態に維持させる。すなわち、黒表示を実現する第１階調駆動を除き、先頭のサブフィールドＳＦ１にて必ず放電セルを発光させ、それ以降、表現すべき輝度レベルに応じた数のサブフィールド各々にて連続して放電セルを発光させるのである。この階調駆動方法によると、１フィールド期間内において、一度、消灯状態となった放電セルが点灯状態に復帰することが無い。よって、図１に示す如き、１フィールド表示期間内での放電セルの発光期間と消灯期間とが互いに反転する発光パターンの組み合わせが存在しないので、偽輪郭が抑制されるのである。
【０００８】
しかしながら、かかる階調駆動方法では、各放電セル毎に表現出来る階調数が、［各フィールドを分割するサブフィールド数＋１］に過ぎないので、入力映像信号によって表現される中間輝度を全て表現することが出来ない。
【特許文献１】特開２０００−２３１３６２号公報
【発明の開示】
【発明が解決しようとする課題】
【０００９】
本発明は、かかる問題を解決すべく為されたものであり、偽輪郭を抑制しつつ各画素セル単位で表現出来る中間輝度レベルの階調数を増やすことができるプラズマディスプレイパネルの駆動方法を提供することを目的とするものである。
【課題を解決するための手段】
【００１０】
請求項１記載によるプラズマディスプレイパネルの駆動方法は、画素に対応した複数の放電セルを備えたプラズマディスプレイパネルを、各フレーム表示期間を構成するＮ個（Ｎは２以上の整数）のサブフィールド毎に駆動するプラズマディスプレイパネルの駆動方法であって、前記サブフィールド各々は、入力映像信号に対応した画素データに応じて前記放電セル各々を点灯モード及び消灯モードの内のいずれか一方の状態に設定するアドレスステップと、前記点灯モードに設定されている前記放電セルのみを前記サブフィールド各々に割り当てられている輝度重み付けに対応した回数分だけ繰り返しサスティン放電させることにより発光状態を維持するサスティンステップと、を含み、各フレーム表示期間内には、各サブフィールドに割り当てられている前記輝度重み付けの値が、
Ｇ（n）＝２(n-1)
Ｇ：輝度重み付けの値
ｎ：サブフィールドの配列順番
となる形態で推移して行くように前記サブフィールドの複数が連続して配列されている第１サブフィールド群と、Ｎ個の前記サブフィールド各々の内で前記輝度重み付けが最も大なるサブフィールドを含み且つ各サブフィールドに割り当てられている前記輝度重み付けの値が、
Ｇ（n）＝ａ＋（ｎ−１)・d
Ｇ：輝度重み付けの値
ｎ：サブフィールドの配列順番
ａ：輝度重み付けの初期値
ｄ：所定値
となる形態で推移して行くようにサブフィールドの複数が連続して配列されている第２サブフィールド群と、を含み、前記輝度重み付けの最も大なるサブフィールドが前記フレーム表示期間内の先頭及び最後尾以外の位置に配置されている。
【００１１】
請求項１０記載によるプラズマディスプレイパネルの駆動方法は、画素に対応した複数の放電セルを備えたプラズマディスプレイパネルを、各フレーム表示期間を構成するＮ個（Ｎは２以上の整数）のサブフィールド毎に駆動するプラズマディスプレイパネルの駆動方法であって、前記サブフィールド各々は、入力映像信号に対応した画素データに応じて前記放電セル各々を点灯モード及び消灯モードの内のいずれか一方の状態に設定するアドレスステップと、前記点灯モードに設定されている前記放電セルのみを前記サブフィールド各々に割り当てられている輝度重み付けに対応した回数分だけ繰り返しサスティン放電させることにより発光状態を維持するサスティンステップと、を含み、各フレーム表示期間内には、前記サブフィールド各々に割り当てられている前記輝度重み付けの値が公比２の等比数列の形態で推移して行くように前記サブフィールドの複数が連続して配列されている第１サブフィールド群と、前記輝度重み付けの値が先頭から後方に向けて増加して行くように複数の前記サブフィールドが配列されている第２サブフィールド群と、前記輝度重み付けの値が先頭から後方に向けて減少して行くように複数の前記サブフィールドが配列されている第３サブフィールド群と、を含み、Ｎ個の前記サブフィールド各々の内で前記輝度重み付けが最も大なるサブフィールドが前記フレーム表示期間内の先頭及び最後尾以外の位置に配置されている。
【発明を実施するための最良の形態】
【００１２】
各フレーム表示期間内に、輝度重み付けの値が公比２の等比数列の形態で推移して行くようにサブフィールドの複数が連続して配列されている第１サブフィールド群と、輝度重み付けが最も大なるサブフィールドを含み且つ各サブフィールドに割り当てられている輝度重み付けの値が等差数列の形態で推移して行くようにサブフィールドの複数が連続して配列されている第２サブフィールド群と、を含み、輝度重み付けの最も大なるサブフィールドを、フレーム表示期間内の先頭及び最後尾以外の位置に配置する。
【実施例１】
【００１３】
図３は、本発明による駆動方法に基づいて表示パネルとしてのプラズマディスプレイパネルを発光駆動するプラズマディスプレイ装置の概略構成を示す図である。
【００１４】
かかるプラズマディスプレイ装置は、アドレスドライバ２０、Ｙ電極ドライバ３０、Ｘ電極ドライバ４０及び駆動制御回路５０からなるパネル駆動部と、プラズマディスプレイパネルとしてのＰＤＰ１０とから構成される。
【００１５】
ＰＤＰ１０の表示面を担う前面透明基板（図示せぬ）には、夫々が画面の横方向に伸張する行電極Ｘ1〜Ｘn及び行電極Ｙ1〜Ｙnが形成されている。又、ＰＤＰ１０の背面基板（図示せぬ）には、夫々が画面の縦方向に伸長する列電極Ｄ1〜Ｄmが形成されている。尚、これら行電極Ｘ1〜Ｘn及びＹ1〜Ｙnは、前面透明基板においてＸ、Ｙ交互に配列されており、互いに隣接する一対の行電極（Ｘ、Ｙ)にてＰＤＰ１０における各表示ラインを構成している。前面透明基板と背面基板との間には、放電ガスの封入された放電空間が形成されており、この放電空間を含む行電極対と列電極との交叉部に、画素を担う放電セル（画素セル）が形成される構造となっている。
【００１６】
駆動制御回路５０は、入力映像信号を各画素毎の画素データに変換し、この画素データに基づき各放電セルをサブフィールド各々のアドレス行程（後述する）で点灯モード又は消灯モードのいずれに設定するのかを指定する画素駆動データを生成して、アドレスドライバ２０に供給する。更に、駆動制御回路５０は、図４に示す如き発光駆動シーケンスに従って各種タイミング信号を生成し、Ｙ電極ドライバ３０及びＸ電極ドライバ４０各々に供給する。アドレスドライバ２０、Ｙ電極ドライバ３０及びＸ電極ドライバ４０各々は、駆動制御回路５０から供給されたタイミング信号に応じて各種駆動パルスをＰＤＰ１０の列電極Ｄ、行電極Ｘ及びＹに印加する。
【００１７】
すなわち、アドレスドライバ２０、Ｙ電極ドライバ３０、Ｘ電極ドライバ４０及び駆動制御回路５０からなるパネル駆動部は、図４に示す発光駆動シーケンスに基づき、１フレームの表示期間をサブフィールドＳＦ１〜ＳＦ１２に分割してＰＤＰ１０に対する階調駆動を実施する。尚、サブフィールドＳＦ１〜ＳＦ１２各々には、以下の如き輝度重み付けが為されている。
【００１８】
ＳＦ１：１
ＳＦ２：２
ＳＦ３：４
ＳＦ４：８
ＳＦ５：１６
ＳＦ６：３２
ＳＦ７：５２
ＳＦ８：４４
ＳＦ９：３６
ＳＦ１０：２８
ＳＦ１１：２０
ＳＦ１２：１２
この際、１フレーム表示期間内における前半部には、図４に示す如く、低輝度成分の発光を担う第１サブフィールド群ＳＧ１に属するサブフィールドＳＦ１、ＳＦ２、ＳＦ３、ＳＦ４、ＳＦ５、ＳＦ６が配列されている。
【００１９】
つまり、第１サブフィールド群ＳＧ１内においては、各サブフィールドに割り当てられている輝度重み付けの値が公比２の等比数列の形態で増加して行くように、各サブフィールドが配列されているのである。一方、１フレーム表示期間内における後半部には、図４に示す如く、高輝度成分の発光を担う第２サブフィールド群ＳＧ２に属するサブフィールドＳＦ７〜ＳＦ１２が配列されている。
【００２０】
つまり、第２サブフィールド群ＳＧ２内においては、各サブフィールドに割り当てられている輝度重み付けの値が「８」ずつ減少して行くように、最も輝度重み付けの大なるサブフィールドＳＦ７、ＳＦ８、ＳＦ９、ＳＦ１０、ＳＦ１１、ＳＦ１２なる順に各サブフィールドが配列されているのである。
【００２１】
第１サブフィールド群ＳＧ１に属するサブフィールドＳＦ１〜ＳＦ６各々において、パネル駆動部は、全面消去行程Ｅｃ、選択書込アドレス行程Ｗｃ及びサスティン行程Ｉｃを夫々実行する。一方、第２サブフィールド群ＳＧ２に属するサブフィールドＳＦ７〜ＳＦ１２各々では、パネル駆動部は、選択書込アドレス行程Ｗｃ及びサスティン行程Ｉｃを夫々実行する。尚、第２サブフィールド群ＳＧ２内における先頭のサブフィールドＳＦ７に限り、パネル駆動部は、選択書込アドレス行程Ｗｃに先立ち、全面消去行程Ｅｃを実行する。
【００２２】
全面消去行程Ｅｃにおいて、パネル駆動部は、ＰＤＰ１０の全ての放電セルに対して一斉に消去放電を生起させて、全放電セル内に残留する壁電荷の量を所定量以下にする。かかる消去放電により、全ての放電セルは強制的に消灯モードに設定される。
【００２３】
選択書込アドレス行程Ｗｃにおいて、パネル駆動部は、上記画素駆動データに基づき、点灯モードに指定されている放電セルのみに選択的に書込アドレス放電を生起させる。この際、書込アドレス放電の生起された放電セル内には所定量の壁電荷が形成され、この放電セルは点灯モードに設定される。尚、書込アドレス放電が生起されなかった放電セルは、現状（点灯モード又は消灯モード）を維持する。
【００２４】
サスティン行程Ｉｃにおいて、パネル駆動部は、点灯モードに設定されている放電セルのみをそのサブフィールドの輝度重み付けに対応した期間（又は回数）に亘り繰り返しサスティン放電させ、この放電に伴う発光状態を維持させる。
【００２５】
図５〜図１２は、図４に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【００２６】
図５〜図１２において、白丸印の付されているサブフィールドＳＦでは、放電セルが点灯モードに設定される。つまり、このサブフィールドでは、上述した如き輝度重み付けに対応した期間に亘り放電セルが発光するのである。この際、サブフィールドＳＦ１〜ＳＦ１２による１フレーム表示期間内での発光期間の合計に対応した中間輝度レベルが視覚される。図５〜図１２に示す如き２５６通りの発光駆動パターン（第１階調〜第２５６階調）によれば、入力映像信号によって示される最低輝度レベル〜最大輝度レベルの範囲内の各種輝度レベルを２５６階調にて表現できる。
【００２７】
ここで、第１サブフィールド群ＳＧ１内でのサブフィールドＳＦ１〜ＳＦ６による点灯サブフィールド（丸印にて示す）の組み合わせ方により、所定輝度レベルよりも低輝度な輝度レベルを５９階調（第１〜第５９階調）にて表現することができる。
【００２８】
ところで、第１サブフィールド群ＳＧ１内には各サブフィールド毎に放電セルを点灯モードから消灯モードに推移させる全面消去行程Ｅｃが設けられているが、第２サブフィールド群ＳＧ２内には先頭のサブフィールドＳＦ７にしかこの全面消去行程Ｅｃが設けられていない。つまり、第２サブフィールド群ＳＧ２内において放電セルを点灯モードから消灯モードに変更させることが可能な機会はサブフィールドＳＦ７だけである。よって、サブフィールドＳＦ７〜ＳＦ１２の内のいずれか１のサブフィールドにて一旦、放電セルが点灯モードに設定されると、それ以降、最後尾のサブフィールドＳＦ１２まで点灯モードが維持され、各サブフィールドにおいて連続してサスティン放電発光が為されることになる。
【００２９】
従って、第２サブフィールド群ＳＧ２内では、
ＳＦ１２のみで発光
ＳＦ１１及びＳＦ１２各々で発光
ＳＦ１０〜ＳＦ１２各々で発光
ＳＦ９〜ＳＦ１２各々で発光
ＳＦ８〜ＳＦ１２各々で発光
ＳＦ７〜ＳＦ１２各々で発光
の如く、一旦、発光状態となったら最後尾のサブフィールドＳＦ１２まで連続して発光状態を継続する６種類の発光パターンにより、輝度重み付けの値が、
「１２」：ＳＦ１２のみで発光
「３２」：ＳＦ１１及びＳＦ１２で発光
「６０」：ＳＦ１０〜ＳＦ１２で発光
「９６」：ＳＦ９〜ＳＦ１２で発光
「１４０」：ＳＦ８〜ＳＦ１２で発光
「１９２」：ＳＦ７〜ＳＦ１２で発光
なる６階調分の輝度レベルが表現される。
【００３０】
よって、上述した如き第２サブフィールド群ＳＧ２内での６階調分の発光パターンと、上記第１サブフィールド群ＳＧ１内での５９階調分の発光パターンとの組み合わせにより、所定輝度レベルよりも高輝度な輝度レベルを１９７階調（第６０〜第２５６階調）にて表現するのである。
【００３１】
ここで、偽輪郭は、輝度重み付けが大なるサブフィールドが配列された箇所で特に目立つことになる。この際、上記第２サブフィールド群ＳＧ２内には、この偽輪郭が目立つことになる輝度重み付けの大なるサブフィールドが配列されている。しかしながら、この第２サブフィールド群ＳＧ２内での６種類の発光パターン中には、放電セルの発光期間と消灯期間とが互いに反転する発光パターンの組み合わせが存在しないので、偽輪郭が抑制される。
【００３２】
更に、上記駆動によれば、第２サブフィールド群ＳＧ２での駆動と、第１サブフィールド群ＳＧ１での駆動との組み合わせにより、１２個のサブフィールドＳＦ１〜ＳＦ１２にて２５６階調分の輝度レベルが表現可能になるのである。
【００３３】
尚、上記実施例においては、サブフィールド法に基づきＰＤＰ１０を駆動するにあたり、画素データに応じて選択的に各放電セル内に壁電荷を形成させるようにした、いわゆる選択書込アドレス法を採用した場合について説明した。しかしながら、予め全ての放電セル内に壁電荷を形成させておき、画素データに応じて選択的に放電セル内に残存する壁電荷を消去する、いわゆる選択消去アドレス法を採用した駆動にも同様に適用可能である。
【００３４】
図１３は、選択消去アドレス方法を採用してＰＤＰ１０を駆動する場合の発光駆動シーケンスを示す図である。
【００３５】
図１３に示す発光駆動シーケンスにおいて、サブフィールドＳＦ１〜ＳＦ１２各々には、以下の如き輝度重み付けが為されている。
【００３６】
ＳＦ１：１２
ＳＦ２：２０
ＳＦ３：２８
ＳＦ４：３６
ＳＦ５：４４
ＳＦ６：５２
ＳＦ７：３２
ＳＦ８：１６
ＳＦ９：８
ＳＦ１０：４
ＳＦ１１：２
ＳＦ１２：１
この際、１フレーム表示期間内における前半部には、図１３に示す如く、高輝度成分の発光を担う第２サブフィールド群ＳＧ２に属するサブフィールドＳＦ１〜ＳＦ６が配列されている。つまり、第２サブフィールド群ＳＧ２内では、その輝度重み付けの値が「８」ずつ増加して行くように、サブフィールドＳＦ１、ＳＦ２、ＳＦ３、ＳＦ４、ＳＦ５、そして最も輝度重み付けの値が大なるＳＦ６なる順に各サブフィールドが配列されているのである。一方、１フレーム表示期間内における後半部には、図１３に示す如く低輝度成分の発光を担う第１サブフィールド群ＳＧ１に属するサブフィールドＳＦ７〜ＳＦ１２が配列されている。つまり、第１サブフィールド群ＳＧ１内においては、先頭から後方に向けてその輝度重み付けの値が公比（１／２）の等比数列の形態で減少、すなわち、最後尾から前方に向けて公比２の等比数列の形態で増加して行くように、各サブフィールドが配列されているのである。
【００３７】
又、図１３に示される発光駆動シーケンスでは、第２サブフィールド群ＳＧ２に属するサブフィールドＳＦ１〜ＳＦ６各々において、パネル駆動部は、選択消去アドレス行程ＷＥｃ及びサスティン行程Ｉｃを夫々実行する。尚、第２サブフィールド群ＳＧ２内における先頭のサブフィールドＳＦ１に限り、パネル駆動部は、選択消去アドレス行程ＷＥｃに先立ち、リセット行程Ｒｃを実行する。一方、第１サブフィールド群ＳＧ１に属するサブフィールドＳＦ７〜ＳＦ１２各々においては、パネル駆動部は、リセット行程Ｒｃ、選択消去アドレス行程ＷＥｃ及びサスティン行程Ｉｃを夫々実行する。尚、第１サブフィールド群ＳＧ１内における最後尾のサブフィールドＳＦ１２に限り、パネル駆動部は、サスティン行程Ｉｃの後に、全面消去行程Ｅｃを実行する。
【００３８】
上記リセット行程Ｒｃにおいて、パネル駆動部は、ＰＤＰ１０の全ての放電セルに対して一斉にリセット放電を生起させて、全放電セル内に所定量の壁電荷を形成させる。かかるリセット放電により、全ての放電セルは点灯モードに初期化される。
【００３９】
選択消去アドレス行程ＷＥｃにおいて、パネル駆動部は、上記画素駆動データに基づき消灯モードに指定されている放電セルのみに選択的に消去アドレス放電を生起させる。この際、放電セル内に残留する所定量の壁電荷が消去され、この放電セルは消灯モードに設定される。尚、消去アドレス放電が生起されなかった放電セルは、現状（点灯モード又は消灯モード）を維持する。
【００４０】
サスティン行程Ｉｃにおいて、パネル駆動部は、点灯モードに設定されている放電セルのみをそのサブフィールドの輝度重み付けに対応した期間（又は回数）に亘り繰り返しサスティン放電させ、この放電に伴う発光状態を維持させる。
【００４１】
全面消去行程Ｅｃにおいて、パネル駆動部は、ＰＤＰ１０の全ての放電セルに対して一斉に消去放電を生起させて、全放電セル内に残留する壁電荷の量を所定量以下にする。かかる消去放電により、全ての放電セルは強制的に消灯モードに設定される。
【００４２】
図１４は、図１３に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【００４３】
図１４において、白丸印の付されているサブフィールドＳＦでは、放電セルが点灯モードに設定され、このサブフィールドにおいて上述した如き輝度重み付けに対応した期間に亘り放電セルが発光する。すなわち、図１３及び図１４に示す如き選択消去アドレス法を採用した駆動では、図４中の第１サブフィールド群ＳＧ１に属するサブフィールドＳＦ１〜ＳＦ６の配列順序を反転させたものをサブフィールドＳＦ７〜ＳＦ１２とし、これを１フレーム表示期間内の後半部に配置する。更に、図４中の第２サブフィールド群ＳＧ２に属するサブフィールドＳＦ７〜ＳＦ１２の配列順序を反転させたものをサブフィールドＳＦ１〜ＳＦ６とし、これを１フレーム表示期間内の前半部に配置するのである。図１４に示す如き２５６通りの発光駆動パターン（第１階調〜第２５６階調）によれば、入力映像信号によって示される最低輝度レベル〜最大輝度レベルの範囲内の各種輝度レベルを２５６階調にて表現できる。
【００４４】
この際、第１サブフィールド群ＳＧ１内でのサブフィールドＳＦ７〜ＳＦ１２による点灯サブフィールド（丸印にて示す）の組み合わせ方により、所定輝度レベルよりも低輝度な輝度レベルを５９階調（第１〜第５９階調）にて表現することができる。
【００４５】
又、第１サブフィールド群ＳＧ１内には各サブフィールドに、全放電セルを消灯モードから点灯モードに推移させるリセット行程Ｒｃが設けられている。ところが、第２サブフィールド群ＳＧ２内においては、このリセット行程Ｒｃは先頭のサブフィールドＳＦ１にしか設けられていない。つまり、第２サブフィールド群ＳＧ２内において放電セルを消灯モードから点灯モードに変更させることが可能な機会はサブフィールドＳＦ１だけである。よって、サブフィールドＳＦ１〜ＳＦ６の内のいずれか１のサブフィールドにて一旦、放電セルが消灯モードに設定されると、それ以降、サブフィールドＳＦ６まで消灯モードが維持され、消灯モードが設定されるまでは点灯モードが維持され、各サブフィールドにおいて連続してサスティン放電発光が為されることになる。
【００４６】
従って、第２サブフィールド群ＳＧ２内では、
ＳＦ１のみで発光
ＳＦ１及びＳＦ２各々で発光
ＳＦ１〜ＳＦ３各々で発光
ＳＦ１〜ＳＦ４各々で発光
ＳＦ１〜ＳＦ５各々で発光
ＳＦ１〜ＳＦ６各々で発光
の如く、先頭のサブフィールドＳＦ１から連続して発光状態となり、その後、一度、消灯状態に推移したらサブフィールドＳＦ６まで連続して消灯状態を継続する６種類の発光パターンにより、輝度重み付けが、
「１２」：ＳＦ１のみで発光
「３２」：ＳＦ１及びＳＦ２で発光
「６０」：ＳＦ１〜ＳＦ３で発光
「９６」：ＳＦ１〜ＳＦ４で発光
「１４０」：ＳＦ１〜ＳＦ５で発光
「１９２」：ＳＦ１〜ＳＦ６で発光
なる６階調分の輝度レベルが表現される。
【００４７】
図１４に示す駆動では、第２サブフィールド群ＳＧ２内での６階調分の発光パターンと、上記第１サブフィールド群ＳＧ１内での５９階調分（第１〜第５９階調）の発光パターンとの組み合わせにより、所定輝度レベルよりも高輝度な輝度レベルを１９７階調（第６０〜第２５６階調）にて表現するのである。
【００４８】
この際、比較的偽輪郭が目立つことになる第２サブフィールド群ＳＧ２内での６種類の発光パターンの中には、放電セルの発光期間と消灯期間とが互いに反転する発光パターンの組み合わせが存在しない。よって、選択消去アドレス法を採用してＰＤＰ１０に対する階調駆動を実施した場合にも、選択書込アドレス法を採用した場合と同様に、偽輪郭を抑制しつつも、１２個のサブフィールドＳＦ１〜ＳＦ１２にて２５６階調分の輝度レベルが表現可能になるのである。
【００４９】
以上の如く、図４〜図１２、あるいは図１３及び図１４に示される駆動においては、第１のサブフィールド群（第１サブフィールド群ＳＧ１）と、第２のサブフィールド群（第２サブフィールド群ＳＧ２）とを１フレーム表示期間内に、設ける。この際、第１のサブフィールド群内では、各サブフィールドに割り当てられている輝度重み付けの値が、
Ｇ（n）＝２(n-1)
Ｇ：輝度重み付けの値
ｎ：サブフィールドの配列順番
の如き、公比２の等比数列の形態で推移して行くように複数のサブフィールドが連続して配列されている。
一方、第２のサブフィールド群内では、輝度重み付けが最も大なるサブフィールドを含み、且つ各サブフィールドの輝度重み付けの値が、
Ｇ（n）＝ａ＋（ｎ−１)・d
Ｇ：輝度重み付けの値
ｎ：サブフィールドの配列順番
ａ：輝度重み付けの初期値
ｄ：所定値
の如き、等差数列の形態で推移して行くように複数のサブフィールドが連続して配列されている。そして、輝度重み付けの最も大なるサブフィールド（ＳＦ７、ＳＦ６）が１フレーム表示期間内の先頭及び最後尾以外の位置に配置されるように第２のサブフィールド群を配置するのである。
【００５０】
かかる構成により、偽輪郭を抑制しつつも、少ないサブフィールド数にて多階調の輝度レベルを表現可能にしているのである。
【実施例２】
【００５１】
入力映像信号にγ補正が施されている場合には、プラズマディスプレイパネル装置では、この入力映像信号に逆γ補正を施すことにより上記γ補正を解除する必要がある。
【００５２】
図１５は、上記逆γ補正処理をも兼ね備えた、選択書込アドレス法に基づく発光駆動シーケンスの他の一例を示す図である。
【００５３】
図１５に示す発光駆動シーケンスにおいては、サブフィールドＳＦ１〜ＳＦ１２各々には、以下の如き輝度重み付けが為されている。
【００５４】
ＳＦ１：２
ＳＦ２：４
ＳＦ３：８
ＳＦ４：１６
ＳＦ５：３２
ＳＦ６：５２
ＳＦ７：４４
ＳＦ８：３６
ＳＦ９：２８
ＳＦ１０：２０
ＳＦ１１：１２
ＳＦ１２：１
すなわち、図４の発光駆動シーケンスにおいて１フレーム表示期間内の先頭に設けている輝度重み付け「１」のサブフィールドを、１フレーム表示期間内の最後尾に配置するのである。更に、図１５に示す発光駆動シーケンスにおいては、１フレーム表示期間内における前半部の第１サブフィールド群ＳＧ１に属するサブフィールドをＳＦ１〜ＳＦ５、後半部の第２サブフィールド群ＳＧ２に属するサブフィールドをＳＦ６〜ＳＦ１２としている。
【００５５】
ここで、第１サブフィールド群ＳＧ１に属するサブフィールドＳＦ１〜ＳＦ５各々において、パネル駆動部は、全面消去行程Ｅｃ、選択書込アドレス行程Ｗｃ及びサスティン行程Ｉｃを実行する。又、第２サブフィールド群ＳＧ２に属するサブフィールドＳＦ６〜ＳＦ１２各々において、パネル駆動部は、選択書込アドレス行程Ｗｃ及びサスティン行程Ｉｃを夫々実行する。尚、第２サブフィールド群ＳＧ２内における先頭のサブフィールドＳＦ６に限り、選択書込アドレス行程Ｗｃに先立ち、全面消去行程Ｅｃを実行する。
【００５６】
この際、上記全面消去行程Ｅｃ、選択書込アドレス行程Ｗｃ、及びサスティン行程Ｉｃの動作については、図４において説明したものと同一であるので、その説明は省略する。
【００５７】
図１６〜図２０は、図１５に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【００５８】
図１５〜図２０に示す駆動では、第１サブフィールド群ＳＧ１に属するＳＦ１〜ＳＦ５及び第２サブフィールド群ＳＧ２に属するＳＦ１２による１フレーム表示期間内での点灯サブフィールド（丸印にて示す）の組み合わせ方により、所定輝度レベルよりも低輝度な輝度レベルを５９階調（第１〜第５９階調）で表現する。
【００５９】
ここで、図１５に示す発光駆動シーケンスにおいては、図４に示すものと同様に、第１サブフィールド群ＳＧ１内には各サブフィールド毎に全面消去行程Ｅｃが設けられている。しかしながら、第２サブフィールド群ＳＧ２内には、この全面消去行程Ｅｃは先頭のサブフィールドＳＦ６のみにしか設けられていない。つまり、第２サブフィールド群ＳＧ２内において、放電セルを点灯モードから消灯モードに変更させることが可能な機会はサブフィールドＳＦ６だけである。よって、サブフィールドＳＦ６〜ＳＦ１２の内のいずれか１のサブフィールドにて一旦、放電セルが点灯モードに設定されると、それ以降、最後尾のサブフィールドＳＦ１２まで点灯モードが維持され、各サブフィールドにおいて連続してサスティン放電発光が為されることになる。
【００６０】
従って、第２サブフィールド群ＳＧ２内では、
ＳＦ１２のみで発光
ＳＦ１１及びＳＦ１２各々で発光
ＳＦ１０〜ＳＦ１２各々で発光
ＳＦ９〜ＳＦ１２各々で発光
ＳＦ８〜ＳＦ１２各々で発光
ＳＦ７〜ＳＦ１２各々で発光
の如く、一旦、発光状態となったら最後尾のサブフィールドＳＦ１２まで連続して発光状態を継続する６種類の発光パターンにより、輝度重み付けが、
「１」：ＳＦ１２のみで発光
「１３」：ＳＦ１１及びＳＦ１２で発光
「３３」：ＳＦ１０〜ＳＦ１２で発光
「６１」：ＳＦ９〜ＳＦ１２で発光
「９７」：ＳＦ８〜ＳＦ１２で発光
「１４１」：ＳＦ７〜ＳＦ１２で発光
「１９３」：ＳＦ６〜ＳＦ１２で発光
なる７階調分の輝度レベルが表現される。
【００６１】
この際、図１６〜図２０に示す如く、所定輝度レベル（第５９階調）よりも高輝度な発光を実施する場合、第２サブフィールド群ＳＧ２内では、上記の如きサブフィールドＳＦ１２のみの発光は実施しない。更に、所定輝度レベルよりも高輝度な発光を実施する場合、第１サブフィールド群ＳＧ１内では、２６通りの発光パターンによる２６階調分の駆動が為される。よって、図１６〜図２０に示す駆動では、第２サブフィールド群ＳＧ２内での６階調分の発光パターンと、上記第１サブフィールド群ＳＧ１内での２６階調分の発光パターンとの組み合わせにより、９９階調（第６０〜第１５８階調）にて高輝度な輝度レベルが表現されるのである。すなわち、入力映像信号が輝度レベル「０」〜「２５５」を表現し得る場合、輝度レベル「０」〜「５８」までの低輝度成分に対しては、これを輝度レベル「１」区切りにて５９段階（第１階調〜第５９階調）で表現する。一方、輝度レベル「５９」〜「２５５」なる高輝度な範囲に対しては、これを輝度レベル「２」区切りにて９９段階（第６０階調〜第１５８階調）で表現するのである。
【００６２】
すなわち、図１５〜図２０に示される駆動においては、逆γ補正では、表現すべき輝度レベルが高くなるほど隣接する階調間での輝度レベル差が大になることに着目して、所定輝度レベルより高輝度を表現する場合には、低輝度を表現する場合に比して各階調間での輝度レベル差を大きくしたのである。
【００６３】
図１５〜図２０に示される駆動においては、輝度重み付けが大なるサブフィールドが配列された第２サブフィールド群ＳＧ２内で為される６種類の発光パターン中には、放電セルの発光期間と消灯期間とが互いに反転する発光パターンの組み合わせが存在しない。又、第２サブフィールド群ＳＧ２での駆動と、第１サブフィールド群ＳＧ１での駆動とを組み合わせることにより、１２個のサブフィールドＳＦ１〜ＳＦ１２にて１５８階調分の輝度レベルが表現される。よって、図１５〜図２０に示される駆動においても、図４〜図１２に示される駆動と同様に、偽輪郭を防止しつつ表現し得る階調数を増大させることが可能になる。
【００６４】
尚、図１５〜図２０は、選択書込アドレス法を採用してＰＤＰ１０を駆動する際の動作を示しているが、これを選択消去アドレス法を採用して実行しても良い。
【００６５】
図２１は、選択消去アドレス方法を採用して、逆γ補正を考慮しつつＰＤＰ１０を駆動する場合に用いられる発光駆動シーケンスを示す図である。
【００６６】
図２１に示す発光駆動シーケンスにおいて、サブフィールドＳＦ１〜ＳＦ１２各々には、以下の如き輝度重み付けが為されている。
【００６７】
ＳＦ１：１
ＳＦ２：１２
ＳＦ３：２０
ＳＦ４：２８
ＳＦ５：３６
ＳＦ６：４４
ＳＦ７：５２
ＳＦ８：３２
ＳＦ９：１６
ＳＦ１０：８
ＳＦ１１：４
ＳＦ１２：２
この際、１フレーム表示期間内における前半部には、図２１に示す如く、第２サブフィールド群ＳＧ２に属するサブフィールドＳＦ１〜ＳＦ７が配列されている。つまり、第２サブフィールド群ＳＧ２内では、その輝度重み付けが先頭から後方に向けて増加して行くように、サブフィールドＳＦ１、ＳＦ２、ＳＦ３、ＳＦ４、ＳＦ５、ＳＦ６、ＳＦ７なる順に各サブフィールドが配列されているのである。一方、１フレーム表示期間内における後半部には、図２１に示す如く低輝度成分の発光を担う第１サブフィールド群ＳＧ１に属するサブフィールドＳＦ８〜ＳＦ１２が配列されている。つまり、第１サブフィールド群ＳＧ１内においては、先頭から後方に向けてその輝度重み付けが公比（１／２）の等比数列の形態で減少、すなわち最後尾から前方に向けてその輝度重み付けが公比２の等比数列の形態で増加して行くように、各サブフィールドが配列されている。
【００６８】
図２１に示される発光駆動シーケンスでは、第２サブフィールド群ＳＧ２に属するサブフィールドＳＦ１〜ＳＦ７各々において、パネル駆動部は、選択消去アドレス行程ＷＥｃ及びサスティン行程Ｉｃを夫々実行する。尚、第２サブフィールド群ＳＧ２内における先頭のサブフィールドＳＦ１に限り、パネル駆動部は、選択消去アドレス行程ＷＥｃに先立ち、リセット行程Ｒｃを実行する。一方、第１サブフィールド群ＳＧ１に属するサブフィールドＳＦ８〜ＳＦ１２各々においては、パネル駆動部は、リセット行程Ｒｃ、選択消去アドレス行程ＷＥｃ及びサスティン行程Ｉｃを夫々実行する。第１サブフィールド群ＳＧ１内における最後尾のサブフィールドＳＦ１２に限り、パネル駆動部は、サスティン行程Ｉｃの後に、全面消去行程Ｅｃを実行する。
【００６９】
尚、上記リセット行程Ｒｃ、選択消去アドレス行程ＷＥｃ、サスティン行程Ｉｃ、及び全面消去行程Ｅｃ各々の動作については、図１３において説明したものと同一であるので、その説明は省略する。
【００７０】
図２２〜図２６は、図２１に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【００７１】
尚、図２２〜図２６において、白丸印の付されているサブフィールドＳＦでは、放電セルが点灯モードに設定され、このサブフィールドにおいて上述した如き輝度重み付けに対応した期間に亘り放電セルが発光する。すなわち、図２１〜図２６に示す如き選択消去アドレス法を採用した駆動では、図１５中の第１サブフィールド群ＳＧ１に属するサブフィールドＳＦ１〜ＳＦ５の配列順序を反転させたものをサブフィールドＳＦ８〜ＳＦ１２とし、これを１フレーム表示期間内の後半部に配置する。更に、図１５中の第２サブフィールド群ＳＧ２に属するサブフィールドＳＦ６〜ＳＦ１２の配列順序を反転させたものをサブフィールドＳＦ１〜ＳＦ７とし、これを１フレーム表示期間内の前半部に配置するのである。図２２〜図２６に示す如き１５８通りの発光駆動パターン（第１階調〜第１５８階調）によれば、入力映像信号によって示される最低輝度レベル〜最大輝度レベルの範囲内の各種輝度レベルを、図１５〜図２０に示されるが如き選択書込アドレス法を採用した場合と同様に１５８階調にて表現できる。この際、第１サブフィールド群ＳＧ１内でのサブフィールドＳＦ８〜ＳＦ１２による点灯サブフィールド（丸印にて示す）の組み合わせ方により、低輝度な輝度レベルが５９階調（第１〜第５９階調）にて表現される。ところで、第１サブフィールド群ＳＧ１内には各サブフィールドにリセット行程Ｒｃが設けられているが、第２サブフィールド群ＳＧ２内では、このリセット行程Ｒｃは先頭のサブフィールドＳＦ１にしか設けられていない。つまり、第２サブフィールド群ＳＧ２内において、放電セルを消灯モードから点灯モードに変更させることが可能な機会はサブフィールドＳＦ１だけである。よって、サブフィールドＳＦ１〜ＳＦ７の内のいずれか１のサブフィールドにて一旦、放電セルが消灯モードに設定されると、それ以降、サブフィールドＳＦ７まで消灯モードが維持され、消灯モードが設定されるまでは点灯モードが維持され、各サブフィールドにおいて連続してサスティン放電発光が為されることになる。
【００７２】
従って、第２サブフィールド群ＳＧ２内では、
ＳＦ１のみで発光
ＳＦ１及びＳＦ２各々で発光
ＳＦ１〜ＳＦ３各々で発光
ＳＦ１〜ＳＦ４各々で発光
ＳＦ１〜ＳＦ５各々で発光
ＳＦ１〜ＳＦ６各々で発光
ＳＦ１〜ＳＦ７各々で発光
の如く、先頭のサブフィールドＳＦ１から連続して発光状態となり、その後、一度、消灯状態に推移したらサブフィールドＳＦ７まで連続して消灯状態を継続する７種類の発光パターンにより、輝度重み付けが、
「１」：ＳＦ１のみで発光
「１３」：ＳＦ１及びＳＦ２で発光
「３３」：ＳＦ１〜ＳＦ３で発光
「６１」：ＳＦ１〜ＳＦ４で発光
「９７」：ＳＦ１〜ＳＦ５で発光
「１４１」：ＳＦ１〜ＳＦ６で発光
「１９３」：ＳＦ１〜ＳＦ７で発光
なる７階調分の輝度レベルが表現される。
【００７３】
この際、図２２〜図２６に示す如く、所定輝度レベルよりも高輝度な発光を実施する場合、第２サブフィールド群ＳＧ２内においては上記の如きサブフィールドＳＦ１のみの発光は実施しない。更に、第１サブフィールド群ＳＧ１内では、２６通りの発光パターンによる２６階調分の駆動を行う。よって、所定輝度レベル（第５９階調）よりも高輝度な発光を実施する場合には、第２サブフィールド群ＳＧ２内での６階調分の発光パターンと、上記第１サブフィールド群ＳＧ１内での２６階調分の発光パターンとの組み合わせにより、９９階調（第６０〜第１５８階調）にてその輝度レベルが表現されるのである。すなわち、入力映像信号が輝度レベル「０」〜「２５５」を表現し得る場合、輝度レベル「０」〜「５８」までの低輝度成分に対しては、これを輝度レベル「１」区切りにて５９段階（第１階調〜第５９階調）で表現する。一方、輝度レベル「５９」〜「２５５」なる高輝度な範囲に対しては、これを輝度レベル「２」区切りにて９９段階（第６０階調〜第１５８階調）で表現するのである。この際、比較的偽輪郭が目立つことになる、輝度重み付けが大なるサブフィールドが配列された第２サブフィールド群ＳＧ２内で為される６種類の発光パターンの中には、放電セルの発光期間と消灯期間とが互いに反転する発光パターンの組み合わせが存在しない。よって、選択消去アドレス法を採用してＰＤＰ１０に対する階調駆動を実施した場合にも、選択書込アドレス法を採用した場合と同様に、偽輪郭を抑制しつつも、１２個のサブフィールドＳＦ１〜ＳＦ１２にて１５８階調分の輝度レベルが表現可能になるのである。
【００７４】
尚、図１５及び図２１に示す駆動では、１フレーム表示期間を、第１サブフィールド群ＳＧ１と、第２サブフィールド群ＳＧ２とで２分割しているが、これらＳＧ１及びＳＧ２各々を更に２分割し、夫々１フレーム表示期間内において分散して配置するようにしても良い。
【実施例３】
【００７５】
図２７は、かかる点に鑑みて為された、選択書込アドレス法に基づく発光駆動シーケンスの一例を示す図である。
【００７６】
図２７に示す発光駆動シーケンスにおいては、サブフィールドＳＦ１〜ＳＦ１２各々には、以下の如き輝度重み付けが為されている。
【００７７】
ＳＦ１：４
ＳＦ２：８
ＳＦ３：２８
ＳＦ４：３２
ＳＦ５：３８
ＳＦ６：２
ＳＦ７：１６
ＳＦ８：３２
ＳＦ９：４６
ＳＦ１０：２８
ＳＦ１１：２０
ＳＦ１２：１
この際、１フレーム表示期間内における前半部には、図２７に示す如く、低輝度成分の発光を担う分割第１サブフィールド群ＳＧ１ａに属するサブフィールドＳＦ１及びＳＦ２と、高輝度成分の発光を担う第２サブフィールド群ＳＧ２に属するサブフィールドＳＦ３〜ＳＦ６と、が配列されている。一方、１フレーム表示期間内における後半部には、低輝度成分の発光を担う分割第１サブフィールド群ＳＧ１ｂに属するサブフィールドＳＦ７及びＳＦ８と、高輝度成分の発光を担う第３サブフィールド群ＳＧ３に属するサブフィールドＳＦ９〜ＳＦ１２と、が配列されている。
【００７８】
すなわち、分割第１サブフィールド群ＳＧ１ａ内においては、先頭から後方に向けてその輝度重み付けが公比２の等比数列の形態で増加して行くようにＳＦ１及びＳＦ２が配列されている。分割第１サブフィールド群ＳＧ１ｂ内においては、先頭から後方に向けてその輝度重み付けが公比２の等比数列の形態で増加して行くようにＳＦ７及びＳＦ８が配列されている。第２サブフィールド群ＳＧ２内においては、先頭から順にその輝度重み付けの値が増加して行くようにＳＦ３、ＳＦ４、ＳＦ５が配列されており、その最後尾に輝度重み付けが２番目に小となるサブフィールドＳＦ６が配置されている。又、第３サブフィールド群ＳＧ３内においては、先頭から順にその輝度重み付けの値が減少して行くようにＳＦ９、ＳＦ１０、ＳＦ１１が配列されており、その最後尾に輝度重み付けが最も小なるサブフィールドＳＦ１２が配置されている。
【００７９】
かかる構成により、輝度重み付けが最も大なるサブフィールドＳＦ９と、その次に輝度重み付けが大なるＳＦ５とが、夫々１フレーム表示期間内の前半部と後半部とに分散して配置されることになる。更に、輝度重み付けが最も小なるサブフィールドＳＦ１２、並びに、その次に輝度重み付けが小なるＳＦ６、更に３番目に輝度重み付けが小なるＳＦ１が、１フレーム表示期間内における最後尾、中央、先頭部に夫々配置されることになる。
【００８０】
ここで、分割第１サブフィールド群ＳＧ１ａに属するサブフィールドＳＦ１及びＳＦ２各々において、パネル駆動部は、全面消去行程Ｅｃ、選択書込アドレス行程Ｗｃ及びサスティン行程Ｉｃを夫々実行する。又、分割第１サブフィールド群ＳＧ１ｂに属するサブフィールドＳＦ７及びＳＦ８各々において、パネル駆動部は、全面消去行程Ｅｃ、選択書込アドレス行程Ｗｃ及びサスティン行程Ｉｃを夫々実行する。又、第２サブフィールド群ＳＧ２に属するサブフィールドＳＦ３〜ＳＦ６各々において、パネル駆動部は、選択書込アドレス行程Ｗｃ及びサスティン行程Ｉｃを夫々実行する。尚、第２サブフィールド群ＳＧ２内における先頭のサブフィールドＳＦ３に限り、パネル駆動部は、選択書込アドレス行程Ｗｃに先立ち、全面消去行程Ｅｃを実行する。又、第３サブフィールド群ＳＧ３に属するサブフィールドＳＦ９〜ＳＦ１２各々において、パネル駆動部は、選択書込アドレス行程Ｗｃ及びサスティン行程Ｉｃを夫々実行する。尚、第３サブフィールド群ＳＧ３内における先頭のサブフィールドＳＦ９に限り、パネル駆動部は、選択書込アドレス行程Ｗｃに先立ち、全面消去行程Ｅｃを実行する。
【００８１】
尚、上記全面消去行程Ｅｃ、選択書込アドレス行程Ｗｃ、及びサスティン行程Ｉｃの動作については、図１５において説明したものと同一であるので、その説明は省略する。
【００８２】
図２８〜図３１は、図２７に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【００８３】
図２８〜図３１において、白丸印の付されているサブフィールドＳＦでは、放電セルが点灯モードに設定され、上述した如き輝度重み付けに対応した期間に亘り放電セルが発光する。
【００８４】
図２７〜図３１に示す駆動では、
分割第１サブフィールド群ＳＧ１ａに属するＳＦ１及びＳＦ２、
分割第１サブフィールド群ＳＧ１ｂに属するＳＦ７及びＳＦ８、
第２サブフィールド群ＳＧ２に属するＳＦ６、
第３サブフィールド群ＳＧ３に属するＳＦ１２、
各々による１フレーム表示期間内での点灯サブフィールド（丸印にて示す）の組み合わせ方により、所定輝度レベル（第６５階調）よりも低輝度な輝度レベルを６４階調（第１〜第６４階調）で表現する。
【００８５】
ここで、図２７に示す発光駆動シーケンスにおいて、分割第１サブフィールド群ＳＧ１ａ及び分割第１サブフィールド群ＳＧ１ｂ各々内には、各サブフィールド毎に全面消去行程Ｅｃが設けられている。ところが、第２サブフィールド群ＳＧ２及び第３サブフィールド群ＳＧ３各々内においては、先頭のサブフィールドＳＦ３、ＳＦ９のみにしかこの全面消去行程Ｅｃは設けられていない。つまり、第２サブフィールド群ＳＧ２内において放電セルを点灯モードから消灯モードに変更させることが可能な機会は先頭のサブフィールドＳＦ３だけであり、第３サブフィールド群ＳＧ３内では先頭のサブフィールドＳＦ９だけである。よって、第２サブフィールド群ＳＧ２内では、サブフィールドＳＦ３〜ＳＦ６の内のいずれか１のサブフィールドにて一旦、放電セルが点灯モードに設定されると、それ以降、最後尾のサブフィールドＳＦ６まで点灯モードが維持され、各サブフィールドにおいて連続してサスティン放電発光が為される。同様に、第３サブフィールド群ＳＧ３内では、サブフィールドＳＦ９〜ＳＦ１２の内のいずれか１のサブフィールドにて一旦、放電セルが点灯モードに設定されると、それ以降、最後尾のサブフィールドＳＦ１２まで点灯モードが維持され、各サブフィールドにおいて連続してサスティン放電発光が為される。
【００８６】
従って、第２サブフィールド群ＳＧ２内では、
ＳＦ６のみで発光
ＳＦ５及びＳＦ６各々で発光
ＳＦ４〜ＳＦ６各々で発光
ＳＦ３〜ＳＦ６各々で発光
の如く、一旦、発光状態となったら最後尾のサブフィールドＳＦ６まで連続して発光状態を継続する４種類の発光パターンにより、輝度重み付けが、
「２」：ＳＦ６のみで発光
「４０」：ＳＦ５及びＳＦ６各々で発光
「７２」：ＳＦ４〜ＳＦ６各々で発光
「１００」：ＳＦ３〜ＳＦ６各々で発光
なる４階調分の輝度レベルが表現される。
【００８７】
又、第３サブフィールド群ＳＧ３内では、
ＳＦ１２のみで発光
ＳＦ１１及びＳＦ１２各々で発光
ＳＦ１０〜ＳＦ１２各々で発光
ＳＦ９〜ＳＦ１２各々で発光
の如く、一旦、発光状態となったら最後尾のサブフィールドＳＦ１２まで連続して発光状態を継続する４種類の発光パターンにより、輝度重み付けが、
「１」：ＳＦ１２のみで発光
「２１」：ＳＦ１１及びＳＦ１２各々で発光
「４９」：ＳＦ１０〜ＳＦ１２各々で発光
「９５」：ＳＦ９〜ＳＦ１２各々で発光
なる４階調分の輝度レベルが表現される。
【００８８】
よって、上記第２サブフィールド群ＳＧ２、第３サブフィールド群ＳＧ３、分割第１サブフィールド群ＳＧ１ａ、分割第１サブフィールド群ＳＧ１ｂ各々での４階調分の発光パターンの組み合わせにより、所定輝度レベルよりも高輝度な輝度レベルを７２階調（第６５〜第１３６階調）にて表現する。
【００８９】
すなわち、入力映像信号が輝度レベル「０」〜「２５５」を表現し得る場合、輝度レベル「０」〜「６３」までの低輝度成分に対しては、これを輝度レベル「１」区切りにて６４段階（第１階調〜第６４階調）で表現する。一方、輝度レベル「６３」よりも高輝度な輝度レベル「６４」〜「１５８」なる範囲に対しては、これを輝度レベル「２」区切りにて４７階調（第６５階調〜第１１１階調）で表現するのである。又、輝度レベル「１５９」〜「２５５」なる範囲に対しては、これを輝度レベル「４」区切りにて２５階調（第１１２階調〜第１３６階調）で表現するのである。
【００９０】
この際、比較的偽輪郭が目立つことになる、輝度重み付けが大なるサブフィールドが配列された第２サブフィールド群ＳＧ２及び第３サブフィールド群ＳＧ３各々内での４種類の発光パターンの中には、放電セルの発光期間と消灯期間とが互いに反転する発光パターンの組み合わせが存在しない。よって、偽偽輪郭を抑制しつつも、１２個のサブフィールドＳＦ１〜ＳＦ１２にて１３６階調分の輝度レベルが表現可能になるのである。
【００９１】
尚、図２７〜図３１は、選択書込アドレス法を採用してＰＤＰ１０を駆動する際の動作を示しているが、これを選択消去アドレス法を採用して実行しても良い。
【００９２】
図３２は、選択消去アドレス方法を採用してＰＤＰ１０を駆動する場合に用いる発光駆動シーケンスの一例を示す図である。
【００９３】
図３２に示す発光駆動シーケンスにおいては、サブフィールドＳＦ１〜ＳＦ１２各々には、以下の如き輝度重み付けが為されている。
【００９４】
ＳＦ１：１
ＳＦ２：２０
ＳＦ３：２８
ＳＦ４：４６
ＳＦ５：３２
ＳＦ６：１６
ＳＦ７：２
ＳＦ８：３８
ＳＦ９：３２
ＳＦ１０：２８
ＳＦ１１：８
ＳＦ１２：４
この際、１フレーム表示期間内における前半部には、図３２に示す如く、高輝度成分の発光を担う第２サブフィールド群ＳＧ２に属するサブフィールドＳＦ１〜ＳＦ４と、低輝度成分の発光を担う分割第１サブフィールド群ＳＧ１ａに属するサブフィールドＳＦ５〜ＳＦ７と、が配列されている。一方、１フレーム表示期間内における後半部には、高輝度成分の発光を担う第３サブフィールド群ＳＧ３に属するサブフィールドＳＦ８〜ＳＦ１０と、低輝度成分の発光を担う分割第１サブフィールド群ＳＧ１ｂに属するサブフィールドＳＦ１１及びＳＦ１２と、が配列されている。
【００９５】
すなわち、分割第１サブフィールド群ＳＧ１ａ内においては、先頭から後方に向けてその輝度重み付けが公比（１／２）の等比数列の形態で減少して行くようにＳＦ５及びＳＦ６が配列され、その最後尾に、輝度重み付けが２番目に小となるサブフィールドＳＦ７が配置されている。分割第１サブフィールド群ＳＧ１ｂ内においては、先頭から後方に向けてその輝度重み付けが公比（１／２）の等比数列の形態で減少して行くようにＳＦ１１及びＳＦ１２が配列されている。第２サブフィールド群ＳＧ２内においては、その先頭に輝度重み付けが最も小なるサブフィールドＳＦ１を配置し、それ以降、順に輝度重み付けの値が増加して行くようにＳＦ２、ＳＦ３、ＳＦ４が配列されている。第３サブフィールド群ＳＧ３内においては、先頭から後方に向けて輝度重み付けが減少して行くようにサブフィールドＳＦ８、ＳＦ９、ＳＦ１０が配列されている。
【００９６】
かかる構成により、輝度重み付けが最も大なるサブフィールドＳＦ４と、その次に輝度重み付けが大なるＳＦ８とが、夫々１フレーム表示期間内の前半部と後半部とに分散して配置されることになる。又、輝度重み付けが２番目に小なるＳＦ７が第３サブフィールド群ＳＧ３の直前に配置されることになる。つまり、このＳＦ７が１フレーム表示期間内における中央部に配置されることになるのである。更に、輝度重み付けが最も小なるサブフィールドＳＦ１、及び輝度重み付けが三番目に小なるＳＦ１２が、１フレーム表示期間内における先頭及び最後尾に夫々分散して配置されることになる。
【００９７】
ここで、第２サブフィールド群ＳＧ２に属するサブフィールドＳＦ１〜ＳＦ４各々において、パネル駆動部は、選択消去アドレス行程ＷＥｃ及びサスティン行程Ｉｃを夫々実行する。尚、第２サブフィールド群ＳＧ２内における先頭のサブフィールドＳＦ１に限り、パネル駆動部は、選択消去アドレス行程ＷＥｃに先立ち、リセット行程Ｒｃを実行する。又、分割第１サブフィールド群ＳＧ１ａに属するサブフィールドＳＦ５〜ＳＦ７各々において、パネル駆動部は、リセット行程Ｒｃ、選択消去アドレス行程ＷＥｃ及びサスティン行程Ｉｃを夫々実行する。又、第３サブフィールド群ＳＧ３に属するサブフィールドＳＦ８〜ＳＦ１０各々において、パネル駆動部は、選択消去アドレス行程ＷＥｃ及びサスティン行程Ｉｃを夫々実行する。尚、第３サブフィールド群ＳＧ３内における先頭のサブフィールドＳＦ８に限り、パネル駆動部は、選択消去アドレス行程ＷＥｃに先立ち、リセット行程Ｒｃを実行する。又、分割第１サブフィールド群ＳＧ１ｂに属するサブフィールドＳＦ１１及びＳＦ１２各々において、パネル駆動部は、リセット行程Ｒｃ、選択消去アドレス行程ＷＥｃ及びサスティン行程Ｉｃを夫々実行する。
【００９８】
尚、上記リセット行程Ｒｃ、選択消去アドレス行程ＷＥｃ、及びサスティン行程Ｉｃの各動作については、図１５において説明したものと同一であるので、その説明は省略する。
【００９９】
図３３〜図３６は、図３２に示す発光駆動シーケンスに基づき、パネル駆動部が、入力映像信号によって示される輝度レベルに応じてＰＤＰ１０を駆動する際の１フレーム表示期間内での発光駆動パターンを示す図である。
【０１００】
図３３〜図３６において、白丸印の付されているサブフィールドＳＦでは、放電セルが点灯モードに設定され、上述した如き輝度重み付けに対応した期間に亘り放電セルが発光する。
【０１０１】
すなわち、図３２〜図３６に示される駆動においても、図２７〜図３１に示される駆動と同様に、輝度レベル「０」〜「６３」なる範囲内の低輝度な輝度レベルを表す入力映像信号に対しては、これを輝度レベル「１」区切りにて６４段階（第１階調〜第６４階調）で表現する。一方、輝度レベル「６３」よりも高輝度な輝度レベル「６４」〜「１５８」なる範囲に対しては、これを輝度レベル「２」区切りにて４７階調（第６５階調〜第１１１階調）で表現するのである。又、輝度レベル「１５９」〜「２５５」なる範囲に対しては、これを輝度レベル「４」区切りにて２５階調（第１１２階調〜第１３６階調）で表現するのである。
【０１０２】
この際、比較的偽輪郭が目立つことになる、輝度重み付けが大なるサブフィールドが配列された第２サブフィールド群ＳＧ２及び第３サブフィールド群ＳＧ３各々内での４種類の発光パターンの中には、放電セルの発光期間と消灯期間とが互いに反転する発光パターンの組み合わせが存在しない。よって、図２７〜図３１に示される駆動と同様に、偽偽輪郭を抑制しつつも、１２個のサブフィールドＳＦ１〜ＳＦ１２にて１３６階調分の輝度レベルが表現可能になるのである。
【図面の簡単な説明】
【０１０３】
【図１】サブフィールド法に基づく発光駆動シーケンスと、偽輪郭が発生する発光パターンの一例を示す図である。
【図２】偽輪郭の発生を抑制する発光パターンを示す図である。
【図３】本発明の駆動方法に従ってプラズマディスプレイパネルを階調駆動するパネル駆動部を備えたプラズマディスプレイ装置の構成を示す図である。
【図４】選択書込アドレス法を採用してプラズマディスプレイパネルを階調駆動する際の発光駆動シーケンスの一例を示す図である。
【図５】図４に示す発光駆動シーケンスに基づきプラズマディスプレイパネルを階調駆動する際の１フレーム表示期間内での各種発光パターン（第１〜第３２階調）を示す図である。
【図６】図４に示す発光駆動シーケンスに基づきプラズマディスプレイパネルを階調駆動する際の１フレーム表示期間内での各種発光パターン（第３３〜第６４階調）を示す図である。
【図７】図４に示す発光駆動シーケンスに基づきプラズマディスプレイパネルを階調駆動する際の１フレーム表示期間内での各種発光パターン（第６５〜第９６階調）を示す図である。
【図８】図４に示す発光駆動シーケンスに基づきプラズマディスプレイパネルを階調駆動する際の１フレーム表示期間内での各種発光パターン（第９７〜第１２８階調）を示す図である。
【図９】図４に示す発光駆動シーケンスに基づきプラズマディスプレイパネルを階調駆動する際の１フレーム表示期間内での各種発光パターン（第１２９〜第１６０階調）を示す図である。
【図１０】図４に示す発光駆動シーケンスに基づきプラズマディスプレイパネルを階調駆動する際の１フレーム表示期間内での各種発光パターン（第１６１〜第１９２階調）を示す図である。
【図１１】図４に示す発光駆動シーケンスに基づきプラズマディスプレイパネルを階調駆動する際の１フレーム表示期間内での各種発光パターン（第１９３〜第２２４階調）を示す図である。
【図１２】図４に示す発光駆動シーケンスに基づきプラズマディスプレイパネルを階調駆動する際の１フレーム表示期間内での各種発光パターン（第２２５〜第２５６階調）を示す図である。
【図１３】選択消去アドレス法を採用してプラズマディスプレイパネルを階調駆動する際の発光駆動シーケンスの一例を示す図である。
【図１４】図１３に示す発光駆動シーケンスに基づきプラズマディスプレイパネルを階調駆動する際の１フレーム表示期間内での各種発光パターン（第１〜第２５６階調）を示す図である。
【図１５】逆γ補正を考慮した、選択書込アドレス法に基づく発光駆動シーケンスの一例を示す図である。
【図１６】図１５に示す発光駆動シーケンスに基づきプラズマディスプレイパネルを階調駆動する際の１フレーム表示期間内での各種発光パターン（第１〜第３２階調）を示す図である。
【図１７】図１５に示す発光駆動シーケンスに基づきプラズマディスプレイパネルを階調駆動する際の１フレーム表示期間内での各種発光パターン（第３３〜第６４階調）を示す図である。
【図１８】図１５に示す発光駆動シーケンスに基づきプラズマディスプレイパネルを階調駆動する際の１フレーム表示期間内での各種発光パターン（第６５〜第９６階調）を示す図である。
【図１９】図１５に示す発光駆動シーケンスに基づきプラズマディスプレイパネルを階調駆動する際の１フレーム表示期間内での各種発光パターン（第９７〜第１２８階調）を示す図である。
【図２０】図１５に示す発光駆動シーケンスに基づきプラズマディスプレイパネルを階調駆動する際の１フレーム表示期間内での各種発光パターン（第１２９〜第１５８階調）を示す図である。
【図２１】逆γ補正を考慮した、選択消去アドレス法に基づく発光駆動シーケンスの一例を示す図である。
【図２２】図２１に示す発光駆動シーケンスに基づきプラズマディスプレイパネルを階調駆動する際の１フレーム表示期間内での各種発光パターン（第１〜第３２階調）を示す図である。
【図２３】図２１に示す発光駆動シーケンスに基づきプラズマディスプレイパネルを階調駆動する際の１フレーム表示期間内での各種発光パターン（第３３〜第６４階調）を示す図である。
【図２４】図２１に示す発光駆動シーケンスに基づきプラズマディスプレイパネルを階調駆動する際の１フレーム表示期間内での各種発光パターン（第６５〜第９６階調）を示す図である。
【図２５】図２１に示す発光駆動シーケンスに基づきプラズマディスプレイパネルを階調駆動する際の１フレーム表示期間内での各種発光パターン（第９７〜第１２８階調）を示す図である。
【図２６】図２１に示す発光駆動シーケンスに基づきプラズマディスプレイパネルを階調駆動する際の１フレーム表示期間内での各種発光パターン（第１２９〜第１５８階調）を示す図である。
【図２７】逆γ補正を考慮した、選択書込アドレス法に基づく発光駆動シーケンスの他の一例を示す図である。
【図２８】図２７に示す発光駆動シーケンスに基づきプラズマディスプレイパネルを階調駆動する際の１フレーム表示期間内での各種発光パターン（第１〜第３２階調）を示す図である。
【図２９】図２７に示す発光駆動シーケンスに基づきプラズマディスプレイパネルを階調駆動する際の１フレーム表示期間内での各種発光パターン（第３３〜第６４階調）を示す図である。
【図３０】図２７に示す発光駆動シーケンスに基づきプラズマディスプレイパネルを階調駆動する際の１フレーム表示期間内での各種発光パターン（第６５〜第９６階調）を示す図である。
【図３１】図２７に示す発光駆動シーケンスに基づきプラズマディスプレイパネルを階調駆動する際の１フレーム表示期間内での各種発光パターン（第９７〜第１３６階調）を示す図である。
【図３２】逆γ補正を考慮した、選択消去アドレス法に基づく発光駆動シーケンスの他の一例を示す図である。
【図３３】図３２に示す発光駆動シーケンスに基づきプラズマディスプレイパネルを階調駆動する際の１フレーム表示期間内での各種発光パターン（第１〜第３２階調）を示す図である。
【図３４】図３２に示す発光駆動シーケンスに基づきプラズマディスプレイパネルを階調駆動する際の１フレーム表示期間内での各種発光パターン（第３３〜第６４階調）を示す図である。
【図３５】図３２に示す発光駆動シーケンスに基づきプラズマディスプレイパネルを階調駆動する際の１フレーム表示期間内での各種発光パターン（第６５〜第９６階調）を示す図である。
【図３６】図３２に示す発光駆動シーケンスに基づきプラズマディスプレイパネルを階調駆動する際の１フレーム表示期間内での各種発光パターン（第９７〜第１３６階調）を示す図である。
【符号の説明】
【０１０４】
１０    ＰＤＰ
２０    アドレスドライバ
３０    Ｙ電極ドライバ
４０    Ｘ電極ドライバ
５０    駆動制御回路
【図１】
2006011224.tif 000003
【図２】
2006011224.tif 000004
【図３】
2006011224.tif 000005
【図４】
2006011224.tif 000006
【図５】
2006011224.tif 000007
【図６】
2006011224.tif 000008
【図７】
2006011224.tif 000009
【図８】
2006011224.tif 000010
【図９】
2006011224.tif 000011
【図１０】
2006011224.tif 000012
【図１１】
2006011224.tif 000013
【図１２】
2006011224.tif 000014
【図１３】
2006011224.tif 000015
【図１４】
2006011224.tif 000016
【図１５】
2006011224.tif 000017
【図１６】
2006011224.tif 000018
【図１７】
2006011224.tif 000019
【図１８】
2006011224.tif 000020
【図１９】
2006011224.tif 000021
【図２０】
2006011224.tif 000022
【図２１】
2006011224.tif 000023
【図２２】
2006011224.tif 000024
【図２３】
2006011224.tif 000025
【図２４】
2006011224.tif 000026
【図２５】
2006011224.tif 000027
【図２６】
2006011224.tif 000028
【図２７】
2006011224.tif 000029
【図２８】
2006011224.tif 000030
【図２９】
2006011224.tif 000031
【図３０】
2006011224.tif 000032
【図３１】
2006011224.tif 000033
【図３２】
2006011224.tif 000034
【図３３】
2006011224.tif 000035
【図３４】
2006011224.tif 000036
【図３５】
2006011224.tif 000037
【図３６】
2006011224.tif 000038